(57)【特許請求の範囲】
【請求項１】
レーザ光の照射により情報の記録或いは再生を行う少なくとも二層の記録層を備えた情報記録媒体のある記録層のＢＣＡ記録領域に記録情報を記録するＢＣＡ用情報記録装置において、
前記情報記録媒体の予め特定した記録層の内周側に向けてＢＣＡ記録光としてのレーザ光を出力する記録光出力手段と、
同じく前記記録層の内周側に向けて記録層識別光を出力する識別光出力手段と、
前記記録光出力手段からの前記ＢＣＡ記録光と前記識別光出力手段からの前記記録層識別光を前記情報記録媒体の内周領域に向けて案内する光学系と、
前記記録光出力手段の出力動作および出力パワーを制御する主制御部とを有し、
前記主制御部が、予め特定した前記記録層に向けて案内された前記記録層識別光の反射識別光により、前記記録層の内周側に位置するＢＣＡ記録領域に予め設けられた幾何学的凹凸を検出した場合に、当該記録層がＢＣＡ記録領域を備えたものである旨を判定する記録層判定機能と、この記録層識別光の照射にかかる記録層がＢＣＡ記録領域を備えた記録層であると判定がなされた場合に前記記録光出力手段を付勢して前記ＢＣＡ記録光に所定の記録情報をのせると共に当該ＢＣＡ記録光の出力パワーをＢＣＡ記録用の高パワーに設定する高出力設定機能とを備えることを特徴としたＢＣＡ用情報記録装置。
【請求項２】
前記請求項１に記載のＢＣＡ用情報記録装置において、
前記主制御部は、前記記録光出力手段からの前記ＢＣＡ記録光と前記識別光出力手段からの前記記録層識別光とを同時に出力させるものであることを特徴としたＢＣＡ用情報記録装置。
【請求項３】
レーザ光の照射により情報の記録或いは再生を行う少なくとも二層の記録層を備えた情報記録媒体のある記録層のＢＣＡ記録領域に記録情報を記録するＢＣＡ用情報記録方法において、
前記情報記録媒体の光入射面から当該情報記録媒体の予め特定した記録層の内周側に向けて低パワーのＢＣＡ記録光と記録層識別光とを照射する第１の工程（バーストカットエリア用の記録領域探索工程）と、
前記記録層識別光に対しフォーカスサーボを投入する第２の工程（記録層確認工程）と、
このフォーカスサーボ投入後に前記記録層のＢＣＡ領域に予め設けた幾何学的凹凸で反射した前記記録層識別光の反射光を分析しその差信号が所定の振幅を有しているか否かを判定する第３の工程（判定工程）と、
前記記録層識別光の差信号が所定の振幅を維持していると判断された場合に前記ＢＣＡ記録光の強度を増加させてＢＣＡの形成動作に移行する第４の工程（ＢＣＡ形成工程）とを実行することを特徴とするＢＣＡ用情報記録方法。
【請求項４】
前記請求項３に記載のＢＣＡ用情報記録方法において、
前記ＢＣＡ記録光と前記記録層識別光とを同時に出力させることを特徴とするＢＣＡ用情報記録方法。
【発明の詳細な説明】
【技術分野】
【０００１】
本発明は、レーザ光照射により情報の記録あるいは再生を行う光学的情報記録媒体の内、レーザ光入射面を同一とした記録層を複数有する光学的情報記録媒体を対象としたＢＣＡ用情報記録装置，およびＢＣＡ用情報記録方法に関する。
【背景技術】
【０００２】
レーザ光照射により情報の記録あるいは再生が行われる光学的情報記録媒体として光ディスクが広く普及している。この種の光ディスクには、予めエンボス状のピット列が形成された再生専用のＣＤ−ＲＯＭやＤＶＤ−ＲＯＭ、一度だけデータの記録ができるＣＤ−ＲやＤＶＤ−Ｒ、書き換えが可能なＣＤ−ＲＷ、ＤＶＤ−ＲＷ、ＤＶＤ−ＲＡＭなどがある。これらの各光ディスクは、透明基板を介して情報記録層に集光スポットを照射して情報の記録あるいは再生を行う構成となっている。情報記録層には、スパイラル状の記録トラックに沿ってピット列やグルーブが形成されている。
【０００３】
このような光ディスクにおいては、スパイラル状の記録トラック以外に、光ディスク装置の集光スポットによって再生可能な情報として、バーストカットエリア（ＢＣＡ）と呼ばれる領域を有するものがある。このＢＣＡは、円周上に所定間隔を隔てて配置され半径方向に伸びた線分を低反射率の形態にて形成され、記録する情報の内容によってパターンが決められたもので、いわば一般に使われるバーコードが円周状に配設されたような構造となっている。ＢＣＡには、光学的情報記録媒体の種別（ＲＯＭ、追記、あるいは書き換え可能）、著作権管理番号等のバーストカット情報が記録される。
【０００４】
図４に、ＢＣＡ１０１およびその一部分を拡大した説明図を示す。図４に示すように、ＢＣＡ１０１は、多層構造の記録層を備えた光学的情報記録媒体（光ディスク）における特定の記録層の回転中心部側（内径側）の半径位置範囲に設けられている。ＢＣＡ１０１は、同一円周上に、低反射率の線分１０１ａが複数本並べられ、且つ半径方向に均一長さで同一円周上に小刻みに短冊を並べるようにして所定のパターンを形成している。
【０００５】
ＢＣＡ１０１が付された領域には、集光スポットｅが追従するべきトラックが無いので、光ディスク装置はフォーカスサーボのみをかけた状態で、ディスクの回転に沿って矢印Ｓのように集光スポットｅがＢＣＡ１０１上を円周方向に走査する。この時、パターンに依存して集光スポットｅの反射光量が変動し信号として出力されるので、この信号に基づいて、前述した光ディスクに記録されたＢＣＡ１０１に係る情報が再生できる。
【０００６】
このようなＢＣＡ１０１の例は、ＥＣＭＡ（欧州電子計算機工業界）の標準化資料（ＥＣＭＡ−２６７；１２０ｍｍ  ＤＶＤ−Ｒead-Ｏnly Ｄisc ）に、記載されている。
【０００７】
ＢＣＡによる情報記録をピットによる情報記録の場合と比較してみると、ＢＣＡによる情報記録の利点は、光ディスクの製造後に光ディスク一枚ごとに個別に形成できることである。例えば、著作権管理番号を光ディスクに付すことができる。
この場合、ＢＣＡの形成手段としては、例えば再生専用のＲＯＭの光ディスクでは、情報記録層に形成された金属反射膜を強力なレーザ照射によって除去し、これによって低反射率部分を作成することができる。
ただし、このような手法（光ディスクの製造後に形成する手法）は、ピットにくらべて形成可能なパターンの間隔はかなり大きなものとなる。例えば、低反射率部分１０１ａの幅は１０〔μｍ〕程度が現実的な値であり、最も幅のあるパターン間隔は１００〔μｍ〕以上が利用されている。
【特許文献１】国際公表特許Ｗ０２００２／０３７４８３
【発明の開示】
【発明が解決しようとする課題】
【０００８】
ところで、最近の光ディスクでは、１つの入射面から記録再生できる情報記録層を２層備えたものが広く実用化されている。図５に、従来例における２層の記録層を備えた光学的情報記録媒体の断面の例を示す。図５に示す多層の光学的情報記録媒体１００には、入射面１００ａからの集光ビームによって再生される二つの情報記録層１２０（即ち、第０情報記録層１２１と第１情報記録層１２２）が設けられている。各情報記録層１２１，１２２は、記録可能な光学的情報記録膜を有しており、有機色素膜あるいは相変化記録膜等を含む多層薄膜からなる。
【０００９】
各情報記録層１２１、１２２の間隔は、光ディスク１００の素材である透明基板を透過する集光ビームの収差が大きく変化しない範囲が望ましいので、例えばＤＶＤ−ＲＯＭにおいては、５０〔μｍ〕前後に設定されている。この時、例えば第１情報記録層１２２に集光スポットを形成したときの第０情報記録層１２１における集光ビームの直径は約４０〔μｍ〕となる。これは、先に述べたＢＣＡ１０１のパターンと同一オーダーの大きさとなっている。
【００１０】
従って、両方の情報記録層１２１、１２２にＢＣＡを形成すると、一方の情報記録層に集光スポットを形成した時、他方の情報記録層のＢＣＡのパターンによる集光ビームの変動が無視出来ないレベルになってしまう。これを避ける為には、ＢＣＡはどちらか一方の層のみに形成する必要がある。
この場合、ＢＣＡが形成されている層を予め第０記録層あるいは第１記録層か決めておくことで、記録装置あるいは再生装置が媒体の識別に要する時間を短縮することができるという利点が生じる。
【００１１】
これに対し、ＢＣＡが形成されている記録層が分からない場合には、第０記録層及び第１記録層両方を再生しなければならないが、予め分かっている場合には、ＢＣＡが形成されている記録層のみを再生することによって短時間のうちにＢＣＡに係る情報を再生することが可能となる。
【００１２】
２層ＲＯＭに対してＢＣＡを形成する場合には、図６に示すように、情報の再生を行う光入射面とは反対側の入射面からＢＣＡ形成用のレーザ光Ｌ１を入射し、第１情報記録層１２２に存在する金属反射膜を除去することとなる。通常、第１情報記録層１２２に形成される金属反射膜は透過率が１０〔％〕以下となる膜厚を有している。これは、第１情報記録層１２２の再生は第０情報記録層１２１を通して行われるため、信号振幅を確保するために第１情報記録層１２２の反射率を十分に高くしておく必要があるためである。
【００１３】
第０情報記録層１２１の透過率をＴ０、第１情報記録層単独での反射率をＲ１とすると、第０情報記録層１２１を通した第１情報記録層１２２の反射率ＲはＲ＝Ｒ１×Ｔ０２となる。
Ｔ０を５０〔％〕とすると、Ｒ＞１５〔％〕を実現するには、Ｒ１  ＞６０〔％〕でなければならない。例えば、Ａｇ反射膜で反射率６０〔％〕を得るには５０〔ｎｍ〕程度の膜厚が必要であり、その場合、透過率は１０〔％〕程度である。
したがって、第１情報記録層１２２側からレーザ光を入射した場合には、レーザ光は第１情報記録層１２２をほとんど透過せず、第０情報記録層１２１からの反射光は検出されず確実に第１情報記録層１２２にフォーカスサーボをかけることができる。
【００１４】
一方、記録可能な光学的情報記録媒体におけるＢＣＡ形成は、金属反射膜の除去ではなく、実際に情報を記録する際と同様に、有機色素膜あるいは相変化薄膜等にレーザ光を照射し、色素膜あるいは相変化薄膜等の光学特性を変化させることによって行われる。例えば、ＲＯＭでは情報記録層が単独の金属薄膜からなっているため、レーザ光により金属薄膜を除去しＢＣＡを形成することが可能である。これに対し、記録可能な光学的情報記録媒体では、情報記録層が多層薄膜により形成されているため、レーザ光照射により多層薄膜を全てきれいに除去することは困難である。このため、記録可能な光学的情報記録媒体におけるＢＣＡ形成は、通常の記録と似た方式で行う必要がある。
【００１５】
ＲＯＭでは、ＢＣＡ形成時は第１情報記録層１２２側からレーザ光が入射されるので、確実に第１情報記録層１２２にレーザ光を集光することが可能であるが、記録可能な多層光学的情報記録媒体に対するＢＣＡ形成時は、第０情報記録層１２１側からレーザ光を入射する必要がある。
【００１６】
その理由は次の通りである。第１情報記録層１２２側からレーザ光を入射した場合、第１情報記録層１２２には透過率の低い金属反射膜が存在しているため、色素膜あるいは相変化膜等ではレーザ光がほとんど吸収されず、これらの膜の温度を上昇させて光学特性を変化させることができない。従って、透過率の高い第０情報記録層１２１側からレーザ光を照射して第１情報記録層１２２を形成している色素膜あるいは相変化膜等の温度を上昇させＢＣＡを形成しなければならない。
【００１７】
しかしながら、第０情報記録層１２１側からレーザ光を入射した場合、必ずしも第１情報記録層１２２にレーザ光が集光されるとは限らない。
図７は、この理由を簡単に説明したものである。ＲＯＭの場合には、第１情報記録層２２２の透過率が非常に低いので、第１情報記録層２２２側からレーザ光を入射した場合には、Ｓ字カーブと呼ばれるフォーカスエラー信号が１つしか観測されないのに対し、記録可能な多層光学的情報記録媒体では第０情報記録層２２１側からレーザ光を入射した場合には、図７（Ｂ）に示すようにＳ字カーブが２つ観測されることになる。
【００１８】
２つ存在するＳ字カーブＦ２のうち、第１情報記録層２２２から得られるＳ字カーブを利用して第１情報記録層２２２にレーザ光を集光（フォーカス）させようとするが、第０情報記録層２２１から得られるＳ字カーブが存在しているために、誤って第０情報記録層２２１にレーザ光が集光されてしまう場合がある。誤って第０情報記録層２２１にレーザ光が集光された場合、ＢＣＡは第０情報記録層２２１に形成されてしまう。ＢＣＡに一旦記録されたバーストカット情報を書き換えることは困難であり、特に、追記型の光学的情報記録媒体では、ＢＣＡに記録されたバーストカット情報を書き換えることはできない。
そのため、誤って第０情報記録層２２１にＢＣＡを形成してしまった多層光学的情報記録媒体は、不良品として使用できなくなってしまう。
【００１９】
この問題は、第０情報記録層２２１にＢＣＡを形成する場合も同様であり、第０情報記録層２２１にフォーカスサーボをかけようとしても第１情報記録層２２２に誤ってフォーカスサーボがかかってしまい、意図せずＢＣＡが形成されてしまう可能性がある。
前述したように、ＢＣＡが形成されている層を予め決めておくと媒体識別時間が短縮できるという利点があるものの、記録可能な多層光学的情報記録媒体に対しては特定の情報記録層に確実にＢＣＡを形成することが困難であり、誤って予定外の異なった情報記録層にＢＣＡを形成してしまった多層光学的情報記録媒体は不良品となってしまうという問題がある。
【００２０】
本発明の目的は、特定の情報記録層に安定した状態で効率良くＢＣＡを形成することが可能な多層の記録層を備えた光学的情報記録媒体を対象とするＢＣＡ用情報記録装置およびＢＣＡ用情報記録方法を提供することにある。予定外の情報記録層（ここでは第０情報記録層１１）にＢＣＡが形成されてしまうのを防ぐことができる。
【課題を解決するための手段】
【００２１】
上記目的を達成するため、本発明にかかる光学的情報記録媒体では、レーザ光の照射により情報の記録あるいは再生を行う少なくとも二層の記録層を備えた光学的情報記録媒体において、各記録層の内の１つの記録層の内周側に、媒体識別情報等を記録する領域としてのバーストカットエリア用記録領域を設けると共に、このバーストカットエリア用記録領域に対応する位置にある他の記録層の内周側の同一半径内をミラー面とする。そして、前述したバーストカットエリア用記録領域の少なくとも一部の領域に、記録情報識別用のレーザ光による検出が可能な幾何学的凹凸を設ける、という構成を採っている。
【００２２】
このため、多層の記録層を備えた光学的情報記録媒体の何れか一つの記録層の内周側に、当該記録媒体等にかかるＢＣＡ情報を記録又は再生用のレーザ光を入射する光入射面側から、効率良く記録することができ、特に、バーストカットエリア用記録領域の少なくとも一部の領域に記録情報識別用のレーザ光による検出が可能な幾何学的凹凸を設けたので、この幾何学的凹凸の検出を検出することによりＢＣＡ情報を記録する記録層の特定を確実になし得るので、他の記録層にＢＣＡ情報を記録するという不都合を激減させることができ、これによって不良品の発生を大幅に少なくすることができるという利点がある。
【００２３】
ここで、前述した幾何学的凹凸は、光学的情報媒体の回転中心を取り巻いて同心円状或いはスパイラル状に順次配設され形成された凹凸としてもよい。この場合、各同心円或いはスパイラル状の半径方向のピッチを１〔μｍ〕以下としてもよい。
このようにすると、光学的情報媒体の回転動作に対して所定のタイミングで記録情報識別用のレーザ光およびＢＣＡ情報形成用のレーザ光を半径方向に直線的に移動させることによって、当該ＢＣＡの記録層を検知することができることから、ＢＣＡの特定を迅速になし得るという利点がある。
【００２４】
又、前述した幾何学的凹凸は、記録層の記録領域におけるピット列と同一のピット列で形成しても、或いはこのピット列を同心円状あるいはスパイラル状に形成した溝であってもよい。更に、前述した記録層については、相変化記録膜が積層されてなる構造のものでも、或いはレーザ光照射により不可逆な光学特性変化を示す記録膜が積層されてなる構造のものであってもよい。多層構造の記録層については、二層構造の記録層としてもよい。
【００２５】
上記目的を達成するため、本発明にかかるＢＣＡ用情報記録装置では、複数の記録層を備えた情報記録媒体の予め特定した記録層の内周側に向けてＢＣＡ記録光としてのレーザ光を出力する記録光出力手段と、同じく前記記録層の内周側に向けて記録層識別光を出力する識別光出力手段と、前記記録光出力手段の出力動作および出力パワーを制御する主制御部とを備えている。
【００２６】
そして、前述した主制御部が、予め特定した前記記録層からの反射識別光を分析して当該反射識別光にかかる記録層がＢＣＡ記録領域を備えた記録層か否かを判定する記録層判定機能と、この記録層識別光の照射にかかる記録層がＢＣＡ記録領域を備えた記録層であると判定がなされた場合に前記記録光出力手段を付勢して前記ＢＣＡ記録光に所定の記録情報をのせると共に当該ＢＣＡ記録光の出力パワーをＢＣＡ記録用の高パワーに設定する高出力設定機能とを備える、という構成を採っている。ここで、前述した主制御部の記録層判定機能を、記録層の内周側に位置するＢＣＡ記録領域に予め設けられた幾何学的凹凸を前記反射識別光が検出した場合に、当該記録層がＢＣＡ記録領域を備えたものである旨を判定するように構成してもよい。
【００２７】
このため、主制御部の各機能が有効に作動して前述したＢＣＡ記録領域を備えた記録層を短時間に効率良く確実に特定することができ、予め設定されたＢＣＡ記録領域にＢＣＡ記録光としてのレーザ光を確実に照射することができ、ＢＣＡの記録時に当該ＢＣＡ記録光の出力をパワーアップするようにしたので、他の記録層及び記録領域に対する損傷事故の発生を予め有効に回避することができ、かかる点において信頼性および耐久性の高いＢＣＡ用情報記録装置を得ることができる。
【００２８】
更に、本発明にかかるＢＣＡ用情報記録方法は、ＢＣＡ記録光としてのレーザ光を照射して特定の記録層の内周側に設けられたバーストカットエリア用記録領域に当該情報記録媒体にかかる媒体情報等を記録する手法であって、前述した情報記録媒体の光入射面から当該情報記録媒体の予め特定した記録層の内周側に向けて低パワーのＢＣＡ記録光と記録層識別光とを照射する第１の工程（バーストカットエリア用の記録領域探索工程）と、前述した記録層識別光に対しフォーカスサーボを投入する第２の工程（記録層確認工程）と、このフォーカスサーボ投入後に前記記録層のバーストカットエリア領域（記録層の内周側）に予め設けた幾何学的凹凸からの反射光を分析しその差信号が所定の振幅を有しているか否かを判定する第３の工程（判定工程）と、前記記録層識別光の差信号が所定の振幅を維持していると判断された場合に前記ＢＣＡ記録光の強度を増加させてＢＣＡの形成動１に移行する第４の工程（ＢＣＡ形成工程）とを備えていることを特徴とする。
【００２９】
このため、本発明によると、記録層識別光によるＢＣＡ用の記録層の検知と確認とを連続的に実行すると共に、記録層の確認に引き続いてＢＣＡ記録光を低パワーから高パワーに切り換え出力しＢＣＡ用の記録情報を記録するようにしたので、当該情報記録媒体にかかる媒体情報等を予定した記録層に確実に且つ迅速に記録することができ、不良品の発生を大幅に低減することができるという利点がある。
【発明の効果】
【００３０】
以上のように、本発明によると、多層構造の光学的情報記録媒体においてＢＣＡの記録に際して予め特定した記録層を記録層識別光により確実に捕捉し得るので、予定外の情報記録層にＢＣＡを形成してしまうという不都合を確実に防止することができ、これにより不良品の発生を確実に回避することができ、多層の記録層を備えた光学的情報記録媒体の製品化に際しての良品率を大幅に高めるとともに、再生時に実行される光ディスク装置における媒体識別時間を大幅に短縮することが可能となり、信頼性の高い従来にない優れた光学的情報記録媒体，ＢＣＡ用情報記録装置，およびＢＣＡ用情報記録方法を提供することができる。
【発明を実施するための最良の形態】
【００３１】
以下、本発明の最良の実施形態を、添付図面を参照して説明する。ここで、前述した従来例と同一の構成要素については同一の符号を用いるものとする。
【００３２】
（多層記録層を備えた光学的情報記録媒体）
図１において、多層光学的情報記録媒体１は、同一光入射面１ａからアクセスする情報記録層１０を複数層（本実施形態では二層）有している。具体的には、光入射面１ａの側から順に第０情報記録層１１，第１情報記録層１２の二層を備えている。この情報記録層１０は多層薄膜からなっており、例えば、１回だけ記録が可能な追記型の情報記録層の場合には、少なくとも有機色素膜などからなる記録膜と反射膜とを有し、書き換えが可能な情報記録層の場合には、少なくとも誘電体膜及び相変化膜などからなる記録膜及び反射膜とを有している。
【００３３】
各情報記録層１１，１２には、所定のユーザ記録領域２０が設けられている。ここで、前述した各層のユーザ記録領域２０の内周側で且つ所定の同一半径範囲（多層光学的情報記録媒体１の回転中心部の周囲の領域）を有する領域をバーストカットエリア（ＢＣＡ）用の領域２１とする。前述した複数の情報記録層１１，１２の内の第１情報記録層１２におけるＢＣＡ用の領域（最内周端近傍に設定され）にＢＣＡ１０１が設けられ、図１の下方に示す拡大図で示したように、ＢＣＡ形成領域には、案内溝又はピット等により形成される識別情報としての幾何学的凹凸Ｋが設けられている。
【００３４】
前述した案内溝は、情報記録領域２０と同様にスパイラル状に連続して形成されていても良いし、同心円状に形成されていても良い。また、この案内溝は、１周にわたって連続的に形成しても、一部分のみに形成されていても良い。又、ピットを形成する場合も必ずしも１周にわたって形成されていなくとも良い。本実施形態では、ＢＣＡ形成領域２１には案内溝，或いはピットが、ＢＣＡ形成領域全体にわたってスパイラル状に連続して形成されているものとして、以下説明する。
【００３５】
一方、第０情報記録層１１におけるＢＣＡに相当する領域は、ミラー面５によって構成されている。ＢＣＡ１０１は、同一円周上のすべてに形成されていても良いし、同一円周の一部分にのみ形成されていても良い。更に、ＢＣＡ１０１が付された半径領域ではトラックサーボがかけられないので、ＢＣＡ１０１の半径方向の幅（ＢＣＡを構成する低反射率の各線分１０１ａの長さＬ：図４参照）は、記録トラック２の偏心量にくらべて十分大きな幅、たとえば、１〔ｍｍ〕程度の幅、を持つように設定されている。
【００３６】
本実施形態で形成されるＢＣＡパターンの構成例は前述した従来例における図４の場合と同様である。このＢＣＡパターンは、前述した従来例におけるＢＣＡパターンと同一の手法で形成されている。このＢＣＡ１０１のパターンでは、ほぼ一定の幅を持つ低反射率の線分１０１ａの相互の間隔を変化させることで、情報信号を記録している。この方法は、レーザ照射によって低反射率の線分１０１ａを形成する場合は、照射の位置を変えて同じ低反射率の線分１０１ａを形成すれば良いことから、製造が容易となる。この場合、低反射率部分と高反射率部分の幅を任意に変えて情報を記録するようにしてもよい。
【００３７】
図１に、上記多層光学的情報記録媒体１の断面図の一部を示す。図１に示すように、光ディスク媒体１は透明部材を素材として形成されており、その光入射面１ａからアクセス可能な、二層の情報記録層（第０情報記録層１１と第１情報記録層１２）が組み込まれており、それぞれ、ほぼ同じ内周半径の領域（図１中のユーザ記録領域２０）まで案内溝が設けられている。ＢＣＡ１０１は、第１情報記録層１２の情報記録領域２０の最内周端近傍に設定されている。一方、これに対応する同じ半径位置の領域は、第０情報記録層１１ではミラー面５となっている。ここで、情報記録領域２０は、光ディスク装置が再生するべき情報が存在する範囲を示すものである。又符号２９，３０は透明部材からなる基板部分を示す。
【００３８】
上述したＢＣＡは、ＤＶＤ−ＲＷやＤＶＤ−ＲＡＭなどの相変化光ディスクの初期化装置を用いて形成することが可能である。この初期化装置から照射されるレーザ光は、ディスク半径方向に５０〔μｍ〕程度、ディスク回転方向に１〔μｍ〕程度の集光ビーム形状を有しており、レーザ光を半径方向に数１０〔μｍ〕程度ずらしながら照射することで、１〔ｍｍ〕幅程度のＢＣＡを短時間に形成することができる。しかしながら、前述したように、記録可能な多層光学的情報記録媒体１へのＢＣＡ形成は、Ｓ字カーブが複数観測される第０情報記録層１１側からレーザ光を照射して行うことになるため、所望の記録層（本実施形態では第１情報記録層１２）とは異なる記録層（本実施形態では第０情報記録層１１）にＢＣＡが形成されてしまうことがある。
【００３９】
本実施形態に係る多層光学的情報記録媒体１では、図１に示すように、第１情報記録層１２のＢＣＡ形成領域２１に案内溝又はピットなどの幾何学的凹凸Ｋが既に形成してある場合を図示した。ここで、符号３１は反射膜を示し、符号３２はＢＣＡ用の記録膜を示す。この記録膜３２は色素膜および相変化膜等により構成されている。
そして、レーザ光照射時に、レーザ光が照射されている層が第１情報記録層１２であるか第０情報記録層１１であるかを、前述した幾何学的凹凸Ｋの有無で判別することができる。これにより、第１情報記録層１２にＢＣＡを形成し又は再生する場合のいずれであっても、当該第１情報記録層１２を確実に捕捉することが可能となる。
【００４０】
（ＢＣＡの記録／再生装置について）
図２に、ＢＣＡ用情報記録装置の基本構成を示す。この図２に示すＢＣＡ用情報記録装置は、複数の記録層（本実施形態では、第０情報記録層１１及び第１情報記録層１２の二層）を備えた情報記録媒体１の予め特定した記録層（第１情報記録層１２）の内周側に向けてＢＣＡ記録光としてのレーザ光を出力する記録光出力手段５１と、同じく前記記録層（第１情報記録層１２）の内周側に向けて記録層識別光を出力する識別光出力手段５２と、これら記録光出力手段５１及び識別光出力手段５２の出力動作および出力パワーを制御する主制御部５５とを備えている。
更に、このＢＣＡ用情報記録装置は、前述した記録層識別光及びＢＣＡ記録光を情報記録媒体１の内周領域に向けて案内する光学系５６と、所定の記録層（第１情報記録層１２）から反射して来る記録層識別光及びＢＣＡ記録光の反射光を個別に検出する光検出器５７，５８とを備えている。
【００４１】
そして、前述した主制御部５５は、予め特定した記録層（第１情報記録層１２）からの反射識別光を分析して当該反射識別光にかかる記録層がＢＣＡ記録領域を備えた記録層か否かを判定する記録層判定機能と、この記録層識別光の照射にかかる記録層（第１情報記録層１２）がＢＣＡ記録領域を備えた記録層であると判定がなされた場合に前記記録光出力手段５１を付勢して前述したＢＣＡ記録光に所定の記録情報をのせると共に当該ＢＣＡ記録光の出力パワーをＢＣＡ記録用の高パワーに設定する高出力設定機能とを備えている。ここで、上述した記録層判定機能は、当該記録層の内周側に位置するＢＣＡ記録領域に予め設けられた幾何学的凹凸Ｋを前述した反射識別光より検出した場合に、当該記録層がＢＣＡ記録領域を備えたものである旨を判定するように稼働する。
【００４２】
これを更に詳述する。
前述したように、第１情報記録層１２のＢＣＡ形成領域２１に存在する幾何学的凹凸Ｋの判別は、ＢＣＡ形成用のレーザ光（ＢＣＡ記録光Ｐ０）とは別のレーザ光（記録層識別光ＰＳ）を情報記録層１０に照射することによって実行される。
ＢＣＡ記録光Ｐ０のレーザビームは半径方向のビーム径が非常に大きいため、案内溝やピットなどの幾何学的凹凸Ｋを検出することはできない。これに対して情報の記録あるいは再生に用いられる程度の大きさのレーザ光であれば、和信号や差信号により案内溝やピット等の幾何学的凹凸Ｋが存在することを確認できる。
記録層識別光ＰＳはＢＣＡ形成用のレーザ光（ＢＣＡ記録光Ｐ０）から回折格子により発生させても良く、また、ＢＣＡ記録光Ｐ０とは異なる別のレーザ光を用いても良い。記録層識別光ＰＳの集光ビーム径はＢＣＡ記録領域２１に形成された案内溝やピットの半径方向の周期とほぼ同程度であれば幾何学的凹凸Ｋを判別することが可能である。この場合、この幾何学的凹凸Ｋの判別は前述した主制御部５５によって実行される。
【００４３】
ＢＣＡ記録領域２１に形成する幾何学的凹凸Ｋは単に情報記録層１０を識別するために付加されるが、その記録あるいは再生に際しては、レーザ光によるＢＣＡ再生信号に幾何学的凹凸Ｋに起因したノイズが混入しないように留意しなければならない。ＢＣＡは和信号により再生されるので、和信号再生での信号振幅が小さく、差信号再生での信号振幅が大きくなるような案内溝あるいはピットを形成すれば良い。たとえば、案内溝ピッチを記録層識別光ＰＳのビーム径と同程度にしたり、あるいは、案内溝ピッチが記録層識別光のビーム径より広い場合には、溝幅を溝ピッチのほぼ半分にすればよい。
【００４４】
このような条件下では、フォーカスサーボのみをかけた場合の幾何学的凹凸Ｋに起因する再生和信号（溝横断信号と呼ばれる）振幅は非常に小さく、ＢＣＡ再生信号へのノイズ混入が抑制される一方で、記録層識別光ＰＳの差信号（トラックエラー信号に相当）振幅は十分に大きく、確実に情報記録層の判別を行うことができる。フォーカスサーボの制御動作については図示しない公知の技術手段によって実行される。
【００４５】
ＢＣＡ領域２１における溝形成とユーザ記録領域２０における案内溝形成には同一露光光源を用いることが簡便であり好適であるが、この場合には、ユーザ情報記録領域２０の案内溝に比べて極端に広い幅の溝を形成することは困難である。波長４００〔ｎｍ〕前後の半導体レーザを用いる光学的情報記録媒体１のユーザ情報記録領域２０における溝幅は０．２〜０．４〔μｍ〕程度であることから、ＢＣＡ領域２１における溝幅は０．５〔μｍ〕以下、ピッチを１〔μｍ〕以下としておくことが望ましい。
【００４６】
（ＢＣＡの形成動作）
次に、図２〜図３に基づいて、ＢＣＡ記録光Ｐ０を特定の記録層の内周側に設けられたバーストカットエリア用記録領域に照射してＢＣＡを形成する場合の動作例（ＢＣＡ用情報記録方法）を説明する。
【００４７】
まず、図２の装置全体を作動させて、情報記録媒体１の光入射面１ａから当該情報記録媒体１の予め特定した記録層（第１情報記録層１２）の内周側に向けて低パワーのＢＣＡ記録光Ｐ０および記録層識別光ＰＳとを照射し、バーストカットエリア（ＢＣＡ）用の記録層を探索する（ステップＳ１，Ｓ２：第１の工程）。次に、記録層（第１情報記録層１２）からの反射光を得て当該記録層の捕捉を確認した後に当該記録層識別光ＰＳに対してフォーカスサーボを投入する（ステップＳ３：第２の工程）。このフォーカスサーボ投入後、当該記録層のバーストカットエリア領域に予め設けた幾何学的凹凸からの反射光を分析しその差信号が所定の振幅を有しているか否かを判定する（ステップＳ４：第３の工程）。そして、この反射してきた記録層識別光ＰＳについてその差信号が所定の振幅を維持していると判断された場合に前述したＢＣＡ記録光Ｐ０の強度を増加させてＢＣＡの形成動作に移行する（ステップＳ４，Ｓ５：第４の工程）。
【００４８】
以下、これを更に詳述する。
図２では、ＢＣＡを形成するためのレーザ光をＢＣＡ記録光と表現している。フォーカスエラー信号はＢＣＡ記録光Ｐ０，記録層識別光ＰＳのいずれから生成しても良いが、図２ではＢＣＡ記録光Ｐ０から生成している。記録層識別光ＰＳのパワーは、前述した主制御部５５によって記録層１０に変化を起こさない低パワーに保たれる。一方、ＢＣＡ記録光Ｐ０のレーザパワーも当初は低パワーに保たれるが、フォーカスサーボ投入後、記録層識別光ＰＳの差信号が所定の振幅を有していることを確認した後は、ＢＣＡ記録光Ｐ０のパワーを増加させてＢＣＡ形成動作に移行する。かかる動作の制御は図２における主制御部５５によって実行されるようになっている。
【００４９】
フォーカスサーボ投入後、記録層識別光ＰＳの差信号振幅が所定レベル以下であった場合、ＢＣＡ記録光Ｐ０のパワーを低く保ったままフォーカスサーボ投入動作を（記録層識別光ＰＳの差信号が所定の振幅を有していることが確認されるまで）繰り返し継続し、その後、ＢＣＡ記録光Ｐ０のパワーを増加させてＢＣＡ形成動作に移行する。
【００５０】
このようにすることで、所定の情報記録層１０（ここでは第１情報記録層１２）にフォーカスサーボがかかった場合にのみ、高いパワーのＢＣＡ記録光Ｐ０を照射し得るので、予定外の情報記録層（ここでは第０情報記録層１１）にＢＣＡが形成されてしまうのを防ぐことができる。更に、本実施形態では、低レベルにしたＢＣＡ記録光Ｐ０を記録層識別光ＰＳの出力と同時に出力するように構成したので、ＢＣＡ用の記録層が確認できた場合にはＢＣＡ記録光Ｐ０を直ちに高出力に切り換え設定することができ、このためＢＣＡの記録動作を迅速に且つ高精度に実行することができ、異なった記録層へのＢＣＡの記録を確実に回避し得るので、装置全体の信頼性を著しく高めることができるという利点が有る。
【００５１】
又、前述した第０情報記録層１１において、ＢＣＡ領域２１に対向する領域をミラー面５としておくことは、ＢＣＡ形成後にバーストカット情報を再生する際にも次のような点で利便である。
バーストカット情報を再生しようとして第１情報記録層１２にフォーカス投入を試み、誤って第０情報記録層１１にフォーカスサーボがかかってしまった場合でも、再生和信号には何ら有意な信号が検出されないので、第０情報記録層１１にフォーカスサーボが入っていることを直ちに識別することが可能である。このため、フォーカスサーボ投入の誤りを直ちに認識することができ、第１情報記録層１２にフォーカスを再投入することによりバーストカット情報の再生を迅速に実行することができる。
【００５２】
ここで、仮に第０情報記録層１１のＢＣＡ領域２１に対向する領域にも溝が形成されているとすると、再生和信号に溝横断信号が混入してしまい、フォーカスサーボがかかっているのがどちらの情報記録層１１（又は１２）なのかを判別するためには、和信号をデコードしなければならず時間がかかってしまう。これを回避するため、本実施形態では、第０情報記録層１１のＢＣＡ領域２１に対向する領域（ミラー領域５）には、幾何学的凹凸Ｋは形成しない構成とした。
【実施例１】
【００５３】
多層光学的情報記録媒体として、追記型の二層構造の光学的情報記録媒体を用いて第１情報記録層１２にＢＣＡ形成を試みた。第０情報記録層１１はユーザ記録領域２０にピッチ０．４〔μｍ〕の案内溝を有し、ＢＣＡに相当する領域はミラー面５とした。
【００５４】
一方、第１情報記録層１２はユーザ記録領域２０及びＢＣＡ形成領域２１の両方にピッチ０．４〔μｍ〕の案内溝を有する構成とした。ユーザ記録領域２０とＢＣＡ形成領域２１の案内溝を同一ピッチとすることで、マスタリング時に追加のレーザ光を使用する必要が無く、単に露光領域を拡大すれば良く簡便である。ＢＣＡ形成領域２１は半径２２．３〜２３．２〔ｍｍ〕の範囲とし、第１情報記録層１２のこの範囲に案内溝を連続でスパイラル状に形成した。
【００５５】
ＢＣＡ記録レーザ光Ｐ０として波長７８０〔ｎｍ〕の半導体レーザを用いた。このＢＣＡ記録レーザ光Ｐ０の集光用対物レンズの開口は０．５５であり、集光ビーム径は１〔μｍ〕（回転方向）×５０〔μｍ〕（半径方向）、最高出力は１．５〔Ｗ〕である。記録層識別光ＰＳには波長４０５〔μｍ〕の半導体レーザを用いた。記録層識別光ＰＳの集光ビームは０．６〔μｍ〕（回転方向、半径方向とも）である。ＢＣＡ記録時のディスク回転線速は５〔ｍ／ｓ〕とした。
【００５６】
第０情報記録層１１側からＢＣＡ記録レーザ光Ｐ０及び記録層識別光ＰＳを照射する際、フォーカスエラー信号はＢＣＡ記録レーザ光Ｐ０から生成した。フォーカス投入時のパワーは、記録レーザ光４００〔ｍＷ〕、記録層識別光ＰＳを０．５〔ｍＷ〕に設定した。第１情報記録層１２をフォーカス投入対象層としてフォーカスサーボをかけた後、記録層識別光ＰＳの差信号振幅が所定レベル以上であることを確認した後に、ＢＣＡ記録レーザ光Ｐ０のパワーを１〔Ｗ〕と４００〔ｍＷ〕の２レベルで変調し、レーザ光をディスクの半径方向にディスク１回転あたり２５〔μｍ〕ずつ移動させながら照射しＢＣＡを形成した。
【００５７】
上記手法により、１００枚の多層光学的情報記録媒体１に対してＢＣＡ形成を試みたところ成功確率は１００〔％〕であった。これに対して、第１情報記録層１２のＢＣＡ形成領域をミラー面とした多層光学的情報記録媒体１を用いて、単にＢＣＡ記録レーザ光を照射してＢＣＡを形成した場合の成功確率は６０〔％〕程度であった。
【実施例２】
【００５８】
多層光学的情報記録媒体１として、相変化膜を有する書き換え型の二層光学的情報記録媒体を用いて第１情報記録層１２にＢＣＡ形成を試みた。第０情報記録層１１は情報記録領域２０にピッチ０．７４〔μｍ〕の案内溝を有し、ＢＣＡに相当する領域はミラー面５とした。
【００５９】
一方、第１情報記録層１２は情報記録領域２０及びＢＣＡ形成領域２１の両方にピッチ０．７４〔μｍ〕の案内溝を有する構成とした。ＢＣＡ形成領域２１は半径２２．３〜２３．２〔ｍｍ〕の範囲とし、第１情報記録層１２のこの範囲に案内溝を連続でスパイラル状に形成した。
【００６０】
ＢＣＡ記録レーザ光Ｐ０として波長７８０〔ｎｍ〕の半導体レーザを用いた。このＢＣＡ記録レーザ光Ｐ０の集光用対物レンズの開口は０．５５であり、集光ビーム径は１〔μｍ〕（回転方向）×５０〔μｍ〕（半径方向）、最高出力は１．５〔Ｗ〕である。
記録層識別光ＰＳには波長４０５〔ｎｍ〕の半導体レーザを用いた。記録層識別光ＰＳの集光ビームは０．６〔μｍ〕（回転方向、半径方向とも）である。ＢＣＡ記録時のディスク回転線速は５〔ｍ／ｓ〕とした。
【００６１】
第０情報記録層１１側から記録レーザ光及び記録層識別光を照射する際、フォーカスエラー信号はＢＣＡ記録レーザ光Ｐ０から生成し、フォーカス投入時のパワーは、記録レーザ光Ｐ０を４００〔ｍＷ〕、記録層識別光ＰＳを０．５〔ｍＷ〕に設定した。第１情報記録層１２をフォーカス投入対象層としてフォーカスサーボをかけた後、記録層識別光ＰＳの差信号振幅が所定レベル以上であることを確認した後、ＢＣＡ記録レーザ光Ｐ０のパワーを８００〔ｍＷ〕と４００〔ｍＷ〕の２レベルで変調し、レーザ光をディスクの半径方向にディスク１回転あたり２５〔μｍ〕ずつ移動させながら照射しＢＣＡを形成した。
【００６２】
上記手法により、１００枚の多層光学的情報記録媒体に対してＢＣＡ形成を試みたところ成功確率は１００〔％〕であった。これに対して、第１情報記録層１２のＢＣＡ形成領域をミラー面とした多層光学的情報記録媒体を用いて、単にＢＣＡ記録レーザ光を照射してＢＣＡを形成した場合の成功確率は６５〔％〕程度であった。
【００６３】
このように前述した本実施形態を適用することにより、追記型であっても書き換え可能型であっても記録可能な多層光学的情報記録媒体に対して所定の情報記録層に確実にＢＣＡを形成することが可能となった。
【図面の簡単な説明】
【００６４】
【図１】本発明に係る多層光学的情報記録媒体の一例を示す部分断面図である。
【図２】図１に示す多層光学的情報記録媒体の内周領域にＢＣＡを形成する装置の例を示すブロック図である。
【図３】図２に開示した主制御部の動作を示すフローチャートである。
【図４】従来例におけるＢＣＡの構成例および形成位置とう示す説明図である。
【図５】従来例における多層光学的情報記録媒体の一例を示す部分断面図である。
【図６】従来例におけるレーザ入射面とフォーカスエラー信号の関係を説明図で、図６（Ａ）はレーザ入射面を第１情報記録層（第ｎ情報記録層）側に設定した場合を示す説明図、図６（Ｂ）はこの場合に発生するフォーカスエラー信号を示す説明図である。
【図７】従来例におけるレーザ入射面とフォーカスエラー信号の関係を説明図で、図７（Ａ）はレーザ入射面を第０情報記録層側に設定した場合を示す説明図、図７（Ｂ）はこの場合に発生するフォーカスエラー信号を示す説明図である。
【符号の説明】
【００６５】
１  多層光学的情報記録媒体
１ａ  光入射面
５  ミラー領域
１０  記録層
１１  第０情報記録層
１２  第１情報記録層
２０  ユーザ記録領域
２１  ＢＣＡ領域
５１  記録光出力手段
５２  識別光出力手段
５５  主制御部５５
５６  光学系
５７，５８  光検出器
１０１  ＢＣＡ（媒体識別情報）
１０１Ａ  低反射率部分
Ｋ  幾何学的凹凸
Ｐ０  ＢＣＡ記録レーザ光
ＰＳ  記録層識別光
【図１】
0005429238.tif 000002
【図２】
0005429238.tif 000003
【図３】
0005429238.tif 000004
【図４】
0005429238.tif 000005
【図５】
0005429238.tif 000006
【図６】
0005429238.tif 000007
【図７】
0005429238.tif 000008